(57)【要約】 【課題】電気マット、掛け毛布、クッションを別で準備する必要がなく、デザインの統一性を有し、快適にごろ寝できると共に、簡単に収納できる電気マットを提供することが目的である。 【解決手段】本考案のクッション及び掛け毛布付き電気マット１は、平面視略矩形状の表皮材２と裏面材３との間にヒーター配線布４が配置されてなる第１領域６と、ヒーター配線布４が配置されていない第２領域７を有する電気マット本体５であって、第１領域６の面積が第２領域７の面積よりも大きく、第１領域６と第２領域７とが電気マット本体５の長さ方向Ｌに沿って並列に配置され、電気マット本体５の第１領域６側の上面に掛け毛布と、電気マット本体５の第２領域７側の前記第１領域６側とは反対側の端部側の上面にクッション材９とを備え、電気マット本体５と掛け毛布８とが固定具１０で着脱可能であり、電気マット本体５とクッション材９とが固定具１０で着脱可能である。【選択図】図１
0003216267.tif 000002
【実用新案登録請求の範囲】
【請求項１】
平面視略矩形状の表皮材と裏面材との間にヒーター配線布が配置されてなる第１領域と、ヒーター配線布が配置されていない第２領域を有する電気マット本体であって、前記第１領域の面積が前記第２領域の面積よりも大きく、前記第１領域と前記第２領域とが前記電気マット本体の長さ方向に沿って並列に配置され、前記電気マット本体の第１領域側の上面に掛け毛布と、前記電気マット本体の第２領域側の前記第１領域側とは反対側の端部側の上面にクッション材とを備え、前記電気マット本体と前記掛け毛布とが固定具で着脱可能であり、前記電気マット本体と前記クッション材とが固定具で着脱可能であることを特徴とするクッション及び掛け毛布付き電気マット。
【請求項２】
前記クッション材の幅と、前記電気マット本体の幅が同じである請求項１に記載のクッション及び掛け毛布付き電気マット。
【考案の詳細な説明】
【技術分野】
【０００１】
本考案は、電気マットの上に取り外しすることができる掛け毛布とクッションを備えている電気マットに関する。
【背景技術】
【０００２】
従来より、家庭において冬場、電気カーペット、電気マット等が一般的に用いられている。
【０００３】
電気カーペットや電気マットの上で人がごろ寝していると、電気カーペットや電気マットと人が接触している部分は暖かく感じることができるが、電気カーペットや電気マットと人が接触していない部分は寒く感じてしまうことがある。そのため、寒く感じないようにするために、別に掛け毛布を準備しなければならない。そして、電気カーペットや電気マットの上に、掛け毛布を掛けてごろ寝していると、寝ている最中に掛け毛布がずれてきたりして、快適にごろ寝することができないこともある。また、電気カーペットや電気マットのデザイン性と掛け毛布のデザイン性が異なるため、デザイン性が統一された商品ではない。
【０００４】
さらに、電気カーペットや電気マットに掛け毛布を掛けてごろ寝している時に、まくらなどのクッションを用いたくなるが、クッションも別に準備しなければならない。近年、使用しない時には収納しやすく、電気カーペットや電気マットと、掛け毛布と、クッションのデザイン性が統一されている商品が求められている。
【０００５】
特許文献１においては、上縁に挿首部を凹成してなる掛毛布と敷毛布とを各々の上縁を除く他の三辺のいずれかの一辺で接合して一体に構成するとともに、肩部、胴部、足部の３ヶ所に、それぞれ電源が独立して切換え自在な電熱帯を配在させたことを特徴とする電気毛布が開示されている。
【０００６】
【特許文献１】実開平７−２０９３１号公報
【考案の開示】
【考案が解決しようとする課題】
【０００７】
特許文献１では、掛毛布と敷毛布ともに電熱帯を備えているため、暖かく、温熱治療器としても用いることができる。しかしながら、掛毛布と敷毛布ともに電熱帯を備えているので、暖かくなりすぎる恐れがあり、ごろ寝には不向きである恐れがある。また、掛毛布と敷毛布の縁辺に面ファスナーを縫着されているため、快適にごろ寝できない恐れがある。
【０００８】
本考案は、かかる技術的背景を鑑みてなされたものであって、電気マット、掛け毛布、クッションを別で準備する必要がなく、電気マット、掛け毛布、クッションのデザインの統一性を有し、快適にごろ寝することができると共に、簡単に収納することができるクッション及び掛け毛布付き電気マットを提供することが目的である。
【課題を解決するための手段】
【０００９】
前記目的を達成するために、本考案は以下の手段を提供する。
【００１０】
[１] 平面視略矩形状の表皮材と裏面材との間にヒーター配線布が配置されてなる第１領域と、ヒーター配線布が配置されていない第２領域を有する電気マット本体であって、前記第１領域の面積が前記第２領域の面積よりも大きく、前記第１領域と前記第２領域とが前記電気マット本体の長さ方向に沿って並列に配置され、前記電気マット本体の第１領域側の上面に掛け毛布と、前記電気マット本体の第２領域側の前記第１領域側とは反対側の端部側の上面にクッション材とを備え、前記電気マット本体と前記掛け毛布とが固定具で着脱可能であり、前記電気マット本体と前記クッション材とが固定具で着脱可能であることを特徴とするクッション及び掛け毛布付き電気マット。
【００１１】
[２] 前記クッション材の幅と、前記電気マット本体の幅が同じである前項１に記載のクッション及び掛け毛布付き電気マット。
【考案の効果】
【００１２】
[１]の考案では、平面視略矩形状の表皮材と裏面材との間にヒーター配線布が配置されてなる第１領域と、ヒーター配線布が配置されていない第２領域を有する電気マット本体であって、第１領域の面積が第２領域の面積よりも大きく、第１領域と第２領域とが電気マット本体の長さ方向に沿って並列に配置され、電気マット本体の第１領域側の上面に掛け毛布と、電気マット本体の第２領域側の第１領域側とは反対側の端部側の上面にクッション材とを備えているから、電気マット、掛け毛布、クッションを別で準備する必要がなく、電気マット、掛け毛布、クッションのデザインの統一性を有し、快適にごろ寝することができる。電気マット本体と掛け毛布とが固定具で着脱可能であり、電気マット本体とクッション材とが固定具で着脱可能であるから、簡単に収納することができる共に、洗濯機で洗濯することもできる。平面視略矩形状の表皮材と裏面材との間にヒーター配線布が配置されてなる第１領域と、ヒーター配線布が配置されていない第２領域を有する電気マット本体であって、第２領域の第１領域とは反対側の端部側の上面にクッション材とを備えているから、クッション材に電気マット本体を巻き付けて簡単に収納することもできる。さらに、電気マット本体とクッション材とが固定具で固定されている状態で、クッション材の表面側と電気マット本体の裏面材側とを接触させるように巻きつかせて、クッション材の高さを高くすることもできる。
【００１３】
[２]の考案では、収納するときにも、クッション材の幅と、電気マット本体の幅が同じであるから、クッション材の表面側と電気マット本体の表面側とをくるくると巻きつかせることで、コンパクトになり、簡単に収納することができる。さらに、クッション材の幅と、電気マット本体の幅が同じであるから、ヒーター配線布が配置されていない第２領域の裏面材側をクッション材の表面側に巻き付けてクッション材の高さを高くしたとしても、クッション材の左右で均一な高さとなり、快適に利用することができる。
【図面の簡単な説明】
【００１４】
【図１】本考案に係るクッション及び掛け毛布付き電気マットの一実施形態を示す斜視図である。
【図２】本考案に係るクッション及び掛け毛布付き電気マットの一実施形態を示す断面図である。
【図３】本考案に係る電気マット本体の第１領域及び第２領域を示す平面図である。
【図４】本考案に係る電気マット本体の第２領域の裏面材側を前記クッション材の表面側と接触するように巻き付けて、前記クッション材の高さを高くしている状態を示す断面図である。
【考案を実施するための最良の形態】
【００１５】
本考案に係るクッション及び掛け毛布付き電気マットの一実施形態を説明する。図１に示すように、本実施形態のクッション及び掛け毛布付き電気マット１は、平面視略矩形状の表皮材２と裏面材３との間にヒーター配線布４が配置されてなる第１領域６と、ヒーター配線布４が配置されていない第２領域７を有する電気マット本体５であって、前記第１領域６の面積が前記第２領域７の面積よりも大きく、前記第１領域６と前記第２領域７とが前記電気マット本体５の長さ方向Ｌに沿って並列に配置され、電気マット本体５の第１領域６側の上面に掛け毛布８と、電気マット本体５の第２領域７側の前記第１領域６側とは反対側の端部側の上面にクッション材９とを備え、前記電気マット本体５と前記掛け毛布８とが固定具１０で着脱可能であり、前記電気マット本体５と前記クッション材９とが固定具１０で着脱可能であることを特徴とする。なお、図１は本考案を分かりやすくするために、電気マット本体５の外周を覆う縁部カバー材を図示していない状態で説明する。
【００１６】
前記クッション及び掛け毛布付き電気マット１は、電気マット本体５と、掛け毛布８と、クッション材９とを備えているため、電気マット本体５、掛け毛布８、クッション材９を別で準備する必要がなく、電気マット本体５、掛け毛布８、クッション材９のデザインを統一させることができる。
【００１７】
前記電気マット本体５は、上から表皮材２、ヒーター配線布４、裏面材３の順番で積層されて構成されており、ヒーター配線布４は、表皮材２と裏面材３との間に配置されている。また、電気マット本体５は、図３に示すように、平面視で略矩形状、すなわち長方形の形をしている。なお、電気マット本体５の幅方向をＷ、長さ方向をＬとする。
【００１８】
前記電気マット本体５は、ヒーター配線布４が配置されてなる第１領域６と、ヒーター配線布４が配置されていない第２領域７を有する。また、電気マット本体５とクッション材９とが固定具１０で固定されている状態で、ヒーター配線布４が配置されていない第２領域７の裏面材３側とクッション材９の表面側とが接触するように巻き付けることができるから、図４に示すように、簡単にクッション材９の高さを高くすることができる。なお、巻き付ける距離については、ヒーター配線布４が配置されていない第２領域７だけでなく、ヒーター配線布４が配置されてなる第１領域６を少し巻き付けても構わない。また、図４では、クッション材９の半周分を巻き付けているパターンを示しているが、特に限定されるものではなく、クッション材９の全周分を巻き付けても構わない。図４では、クッション材９の高さを高く調整できる距離としてはＴ、すなわちヒーター配線布４が配置されていない第２領域７の表皮材２と裏面材３との厚み分になる。
【００１９】
前記電気マット本体５の表皮材２とヒーター配線布４との間に、中綿などを積層しても構わない。中綿を積層することでクッション性を向上させることができる。ヒーター配線布４が配置されていない前記第２領域７にも中綿などを積層しても構わない。
【００２０】
前記電気マット本体５のヒーター配線布４と裏面材３との間に、中綿などを積層しても構わない。中綿を積層することでクッション性を向上させることができる。ヒーター配線布４が配置されていない前記第２領域７にも中綿などを積層しても構わない。
【００２１】
前記電気マット本体５の外周を覆う縁部カバー材としては、電気マット本体５の外周を覆うことができるものであれば良く、特に限定されるものではない。例えば、ミシン糸、テープロック等が挙げられる。
【００２２】
前記表皮材２としては、特に限定されるものではないが、例えば、織生地、編生地、不織布等が挙げられ、中でも、快適性の点から、ニット生地であることが好ましい。
【００２３】
前記裏面材３としては、特に限定されるものではないが、例えば、織生地、編生地、不織布等が挙げられる。中でも、ごみの付着を防止することができる点から、平織生地であることが好ましい。
【００２４】
前記裏面材３の下面には、滑り止め防止用の樹脂が加工されていることが好ましい。前記滑り止め樹脂の形状としては特に限定されるものではなく、例えば、ドット状、ストライプ状等が挙げられる。
【００２５】
前記ヒーター配線布４としては、不織布の中にヒーター線１１が配置されている構成からなる。
【００２６】
前記不織布を構成する繊維としては、特に限定されるものではないが、耐熱性の点からポリエステルであることがより好ましい。
【００２７】
前記不織布内には、ヒーター線１１同士が接触しないように仕切りが設定されている構成であることが好ましい。
【００２８】
前記ヒーター線１１としては、特に限定されるものではないが、例えば、ヒーター線を塩化ビニル樹脂で覆い、さらにその表面を塩化ビニル樹脂より低い融点のポリエチレン樹脂で被覆した線材等が挙げられる。
【００２９】
前記ヒーター線１１の配置については、特に限定されるものではないが、仰向けにごろ寝した際に背中が設置する部分と、足が設置する部分とでヒーター線の配置を変更することが好ましい。
【００３０】
前記電気マット本体５の第１領域６の面積が、前記電気マット本体５の第２領域７の面積よりも大きいことが必要である。人が電気マット本体５の上にごろ寝して暖かく感じることができるように、ヒーター配線布４が配置されてなる第１領域６の面積の方が大きくなっている。前記電気マット本体５の第１領域６の面積が、前記電気マット本体５の第２領域７の面積よりも２倍〜３倍大きいことがより好ましい。
【００３１】
図３に示すように、平面視で電気マット本体５の長さ方向Ｌに沿って、第１領域６と第２領域７とが並列に配置されている必要がある。実際にごろ寝する際には、第２領域７側を頭とし、第１領域６側を足として使用することが好ましい。
【００３２】
前記電気マット本体５の第１領域６側の上面に掛け毛布８を備えている必要がある。
【００３３】
前記掛け毛布８の大きさとしては、特に限定されるものではないが、電気マット本体５の第１領域６全体を覆う大きさであることが好ましい。
【００３４】
前記電気マット本体５の第２領域７側の第１領域６側とは反対側の端部側の上面にクッション材９を備えている必要がある。前記電気マット本体５の第２領域７側の一番端部分にクッション材９があることで、電気マット本体５にごろ寝した際、クッション材９の上に頭を置くことができ、快適にごろ寝することができる。
【００３５】
前記電気マット本体５と前記掛け毛布８とが固定具１０で着脱可能であることが必要である。電気マット本体５側に固定具１０があり、掛け毛布８側にも固定具１０がある状態を意味している。電気マット本体５の固定具１０と、掛け毛布８の固定具１０が着脱可能であるため、電気マット本体５と、掛け毛布８とを分離することができ、洗濯機で洗えると共に、簡単に収納することができる。
【００３６】
前記電気マット本体５と前記掛け毛布８とを着脱する固定具１０を設置する箇所としては、特に限定されるものではないが、掛け毛布８の四隅に固定具１０を備えることが好ましい。固定具１０を掛け毛布８の四隅に備えることで、ごろ寝している最中に掛け毛布８がずれにくくなり、快適にごろ寝することができる。
【００３７】
前記電気マット本体５と前記クッション材９とが固定具１０で着脱可能であることが必要である。電気マット本体５側に固定具があり、クッション材９側にも固定具がある状態を意味している。電気マット本体５の固定具１０と、クッション材９の固定具１０が、着脱可能であるため、電気マット本体５と、クッション材９とを分離することができ、簡単に収納することができる。
【００３８】
前記電気マット本体５と前記クッション材９とを着脱する固定具１０を設置する箇所としては、電気マット本体５とクッション材９とが接触する部分、すなわち、電気マット本体５の第２領域７の第１領域６とは反対側の端部側の上面側である必要がある。電気マット本体５とクッション材９とを固定具１０で固定することで、ごろ寝している最中にクッション材９が動くことなく、快適にごろ寝することができる。また、電気マット本体５とクッション材９とが固定具１０で固定されていることにより、ヒーター配線布４が配置されていない第２領域７の裏面材３側とクッション材９の表面とが接触するように巻き付けることができるから、図４に示すように、簡単にクッション材９の高さを高くすることができる。
【００３９】
さらに、電気マット本体５とクッション材９とが固定具１０で固定されていることにより、クッション材９を電気マット本体５の表面側にくるくると巻きつかせることで、コンパクトになり、簡単に収納することができる。
【００４０】
前記固定具１０としては、特に限定されるものではないが、例えば、一般的な中心に穴の開いたボタンと受け具のセット、スナップボタン等が挙げられ、中でも、スナップボタンが取扱いの簡便性の点でより好ましい。
【００４１】
図２には、前記クッション及び掛け毛布付き電気マット１の一実施形態を示す断面図を示す。図２は、クッション材９の高さを高くする前の状態を示している。
【００４２】
図１に示すように、前記クッション材９の幅Ｒと、前記電気マット本体５の幅Ｗが同じであることが好ましい。クッション材９の幅Ｒと、電気マット本体５の幅Ｗが同じであるから、クッション材９の表面側と電気マット本体５の表面側とを接触するように、くるくると巻きつかせることで、コンパクトになり、簡単に収納することができる。また、クッション材９の表面側とヒーター配線布４が配置されていない第２領域７の裏面材３側とを接触するように巻き付けて、クッション材９の高さを高くしたとしても、クッション材９の左右で均一な高さとなり、快適に利用することができる。
【実施例】
【００４３】
次に、本考案の具体的実施例について説明するが、本考案はこれら実施例のものに特に限定されるものではない。
【００４４】
＜使用材料＞
（電気マット本体）下から順番に、織生地（ポリエステル１００％、目付７５ｇ／ｍ２、織生地の裏面側にＰＶＣ樹脂からなるドット状の滑り止め樹脂がある）を置き、織生地の上に、中綿（ポリエステル綿１００％、目付２００ｇ／ｍ２）を積層し、中綿の上の第１領域になる部分には、ヒーター配線布（２枚のポリエステル製繊維からなる不織布（目付５５ｇ／ｍ２）の中にヒーター線（配置条件：ヒーター線の密度は７０ｍｍ間に１本間隔で配置））を積層し、中綿の上の第２領域になる部分にはヒーター配線布を積層せず、次に、中綿（ポリエステル綿１００％、目付１００ｇ／ｍ２）を積層し、中綿の上に表皮材（ニット生地、ポリエステル１００％、目付１９０ｇ／ｍ２）を積層して、４辺を縫製糸で縫製した電気マット。
（掛け毛布）ニット生地（ポリエステル１００％、目付１９０ｇ／ｍ２、表皮材と同じ生地デザイン）
（クッション材）表面がニット生地で、中にクッション綿を入れて縫製した円柱状のクッション
（固定具）スリットを入った生地のスリット部分にボタンを通して固定する固定具（一対）
【００４５】
＜実施例１＞
電気マット本体の第１領域の上に掛け毛布を積層し、電気マット本体と掛け毛布の四隅を固定具で固定した。次に、電気マット本体の第２領域の第１領域とは反対側の端部側の上面にクッション材を載せ、電気マット本体とクッション材とを固定具で固定し、図１に示す、幅７５ｃｍ×長さ１７２ｃｍのクッション及び掛け毛布付き電気マット１を得た。
【００４６】
本考案の実施例１のクッション及び掛け毛布付き電気マットは、電気マット、掛け毛布、クッションを別で準備する必要がなく、それぞれのデザインの統一性を有し、快適にごろ寝することができると共に、簡単に収納することができる。
【産業上の利用可能性】
【００４７】
本考案に係るクッション及び掛け毛布付き電気マットは、例えば、一般家庭用、震災時の避難用、アウトドア用、マッサージ用として好適に用いることができる。
【符号の説明】
【００４８】
１・・・クッション及び掛け毛布付き電気マット
２・・・表皮材
３・・・裏面材
４・・・ヒーター配線布
５・・・電気マット本体
６・・・ヒーター配線布が配置されてなる第１領域
７・・・ヒーター配線布が配置されていない第２領域
８・・・掛け毛布
９・・・クッション材
１０・・・固定具
１１・・・ヒーター線
Ｗ・・・電気マット本体の幅
Ｌ・・・電気マット本体の長さ
Ｒ・・・クッション材の幅
Ｔ・・・クッション材の高さを高く調整できる距離
【図１】
0003216267.tif 000003
【図２】
0003216267.tif 000004
【図３】
0003216267.tif 000005
【図４】
0003216267.tif 000006